(57)【要約】【課題】ユーザがＡＣ電源への差込みプラグを抜いて電源接続を断つときにパイロットランプが遅れて消灯することを防止する。【解決手段】スイッチングトランス２の１次側回路２ａに整流ブリッジ回路３とコンデンサ４を介してＡＣ電源に接続される差込みプラグ５を有し、２次側回路２ｂに負荷回路９と、定電圧回路１２と、この回路１２により点灯電圧を供給されるパイロットランプ１３とを有する。定電圧回路１２に並列に、２次側回路２ｂの電圧低下によりパイロットランプ１３を強制的に消灯させる消灯回路２４を備える。消灯回路２４は、パイロットランプ１３に並列なトランジスタ２５と、引出線２７側の電圧が低下したときにトランジスタ２５を導通させる電圧検出回路２６とを備える。ユーザが差込みプラグ５を抜いて電源接続を断つときにトランジスタ２５が導通してパイロットランプ１３への電圧がグランドへ落とされ、ランプ１３が強制的に消灯される。【選択図】図１
2010136482.tif 000002
【特許請求の範囲】
【請求項１】
スイッチングトランスの１次側回路に整流回路とコンデンサとを介してＡＣ電源に接続される差込みプラグを有し、
前記スイッチングトランスの２次側回路に、負荷回路と、本電気機器への電源接続状態を示すパイロットランプとを有する電気機器のスイッチング電源回路において、
前記２次側回路に、前記差込みプラグのＡＣ電源への接続が外されることによる２次側回路の電圧の低下を検出したときに前記パイロットランプを強制的に消灯させる消灯回路を備えることを特徴とする電気機器のスイッチング電源回路。
【請求項２】
前記消灯回路は、
前記パイロットランプに並列に設けられたスイッチ素子と、
前記２次側回路の電圧の低下を検出したときに前記スイッチ素子を導通させる電圧検出回路と、を備えることを特徴とする請求項１に記載の電気機器のスイッチング電源回路。
【請求項３】
前記負荷回路は、本電気機器がスタンバイモードのときに低負荷に切替えられることを特徴とする請求項１又は請求項２に記載の電気機器のスイッチング電源回路。
【発明の詳細な説明】
【技術分野】
【０００１】
本発明は、電気機器のスイッチング電源回路に関する。
【背景技術】
【０００２】
従来から、テレビジョン受像機（以下、テレビという）等の電気機器には、電源が接続されていることを示すためのパイロットランプが設けられている。ユーザは、電源スイッチをオン操作した後にパイロットランプが点灯するのを見て電気機器に支障なく電源が入ったことを確認し、電源スイッチをオフ操作した後にパイロットランプが消灯するのを見て電気機器への電源接続が切れたことを確認する。
【０００３】
ところが、多くの電気機器の電源回路は、ＡＣ電源から入力された交流を直流に変換する回路に平滑コンデンサを備えるので、平滑コンデンサによってパイロットランプに加えられる電圧の低下が緩慢になり、電源スイッチのオフ操作が行われた後にもパイロットランプが点灯し続け、ユーザが違和感を覚えることがある。パイロットランプは通常発光ダイオードから成り、発光ダイオードは点灯電圧が低いことから余計に上記のような消灯の遅れが生じる。
【０００４】
上記不具合を解消するために、パイロットランプに直列にツェナーダイオードを接続し、パイロットランプの実質的な点灯電圧を上昇させて電源スイッチがオフ操作された後にパイロットランプが消灯するまでの時間を短縮したランプ点灯回路が知られている（例えば、特許文献１参照）。
【特許文献１】実開昭６２−１２６８５５号公報
【発明の開示】
【発明が解決しようとする課題】
【０００５】
一方、電源回路としてスイッチング電源を用いる電気機器があり、この電気機器では、スイッチングトランスの１次側回路に整流回路とコンデンサを備え、２次側回路に電源スイッチを備えるので、ユーザが電源スイッチをオフ操作したときのパイロットランプの消灯の遅れは顕著ではない。
【０００６】
ところが、例えば普及タイプの電気機器では、構造の簡素化やコストダウンのために電源スイッチを省略する場合があり、この場合には、ユーザがＡＣ電源のコンセントに差し込まれた差込みプラグを抜くことにより電源接続を断つようになっている。そして、このときに、１次側回路のコンデンサに蓄えらえた電荷が徐々に放出され２次側回路の電圧が遅い速度で低下するので、前述と同様にパイロットランプの消灯の遅れが発生する。
【０００７】
上記不具合は、特に、通常モードとスタンバイモード（低負荷モード）の切替え機能を有する電気機器において、電気機器がスタンバイモードのままユーザが差込みプラグを電源コンセントから抜いたときに顕著になる。スタンバイモードにおける負荷は、省エネ推進の流れの中で近年益々軽減化されており、電気機器がスタンバイモードの状態では、差込みプラグがコンセントから抜かれてもコンデンサに蓄えられた電荷は短時間では放出されず、パイロットランプが１分以上点灯を続ける場合がある。
【０００８】
また、上記の場合に加えて、ＡＣ電源が２２０〜２３０ボルト程度の高電圧である海外向けの電気機器の場合にはコンデンサに蓄えられる電荷の量自体が増えるので、パイロットランプの消灯の遅れがさらに大きくなる。
【０００９】
なお、特許文献１のランプ点灯回路は、スイッチング電源に関するものではない上に、上記のようなスイッチングトランスの１次側回路にコンデンサを有し、電源スイッチを省略した製品における不具合を解決する手段を示していない。また、ツェナーダイオードをパイロットランプに直列に挿入することにより実質的にランプの消費電力が増加するという欠点を有する。
【００１０】
本発明は、上記課題を解決するものであり、スイッチングトランスの１次側回路に整流回路とコンデンサとを介してＡＣ電源への差込みプラグを有する電気機器において、ユーザが差込みプラグを抜いて電気機器への電源接続を断つときにパイロットランプの消灯の遅れが生じないスイッチング電源回路を提供することを目的とする。
【課題を解決するための手段】
【００１１】
上記目的を達成するために、請求項１の発明は、スイッチングトランスの１次側回路に整流回路とコンデンサとを介してＡＣ電源に接続される差込みプラグを有し、前記スイッチングトランスの２次側回路に、負荷回路と、本電気機器への電源接続状態を示すパイロットランプとを有する電気機器のスイッチング電源回路において、前記２次側回路に、前記差込みプラグのＡＣ電源への接続が外されることによる２次側回路の電圧の低下を検出したときに前記パイロットランプを強制的に消灯させる消灯回路を備えることを特徴とする。
【００１２】
請求項２の発明は、請求項１の発明において、前記消灯回路は、前記パイロットランプに並列に設けられたスイッチ素子と、前記２次側回路の電圧の低下を検出したときに前記スイッチ素子を導通させる電圧検出回路と、を備えることを特徴とする。
【００１３】
請求項３の発明は、請求項１又は請求項２の発明において、前記負荷回路は、本電気機器がスタンバイモードのときに低負荷に切替えられることを特徴とする。
【発明の効果】
【００１４】
請求項１の発明によれば、スイッチングトランスの２次側回路に、電圧の低下を検出したときにパイロットランプを強制的に消灯させる消灯回路を備えるので、ユーザがＡＣ電源への差込みプラグを抜いて電気機器への電源接続を断つときにパイロットランプの消灯の遅れが生じず、ユーザが違和感を持つことがない。
【００１５】
請求項２の発明によれば、消灯回路が電圧検出回路により電圧の低下を検出したときにパイロットランプが確実に消灯される。
【発明を実施するための最良の形態】
【００１６】
以下、本発明の一実施形態について、図１乃至図４（ａ）、（ｂ）を参照して説明する。本実施形態の電気機器のスイッチング電源回路１は、液晶テレビに内蔵される電源回路であり、図１に示されるように、スイッチングトランス２の１次側回路２ａに、整流ブリッジ回路３とコンデンサ４とを介してＡＣ電源（不図示）に接続される差込みプラグ５を有している。１次側回路２ａには、さらに整流された直流をスイッチングする電界効果トランジスタ６とそのドライブ回路７とを有している。
【００１７】
スイッチングトランス２の２次側回路２ｂには、マイクロプロセッサ８により制御される負荷回路９と、レギュレータ１１をメインデバイスとする定電圧回路１２と、定電圧回路１２の出力側に配された、発光ダイオードから成るパイロットランプ１３と、を有している。負荷回路９は、液晶パネルを含む映像回路やチューナ回路等から成り、スイッチングトランス２からの引出線１４には電圧安定化のためのダイオード１５とコンデンサ１６が配設されている。
【００１８】
マイクロプロセッサ８は、ユーザが操作するリモコン１７から送信される光信号１８を受光素子１９を介して受信し、光信号１８の内容に応じて負荷回路９を制御する。例えば、ユーザがリモコン１７を操作して本液晶テレビの動作モードを通常モードからスタンバイモードに切替えるときには、マイクロプロセッサ８は、負荷回路９を低負荷に切替える。逆に通常モードへ切替えるときには、マイクロプロセッサ８は、負荷回路９を通常の負荷に切替える。
【００１９】
定電圧回路１２は、レギュレータ１１と、その入力側に設けられたダイオード２１及びコンデンサ２２と、出力側に設けられたコンデンサ２３と、から構成される。本実施形態では、定電圧回路１２の出力側に３．３ボルトの電圧が安定して出力され、パイロットランプ１３に供給されるようになっている。
【００２０】
そして、２次側回路２ｂの電圧の低下を検出したときにパイロットランプ１３を強制的に消灯させる消灯回路２４が、定電圧回路１２に並列に設けられている。具体的には、消灯回路２４は、パイロットランプ１３に並列に設けられたＮＰＮ型のトランジスタ２５（スイッチ素子）と、電圧の低下を検出したときにトランジスタ２５を導通させる電圧検出回路２６と、を備える。トランジスタ２５は、コレクタ２５ａがパイロットランプ１３のアノード側に接続され、エミッタ２５ｂがグランドに接続され、ベース２５ｃが電圧検出回路２６に接続されている。
【００２１】
電圧検出回路２６には、スイッチングトランス２の引出線２７側から順にダイオード２８、コンデンサ２９、及び分圧用の抵抗３１、３２が設けられている。ダイオード２８はカソード側が引出線２７に接続され、コンデンサ２９との協働により引出線２７に生じるマイナス側の電圧を平滑し、点Ａがマイナスの直流になるようにする。また、分圧抵抗３１、３２は、点Ａの電圧が所定値（例えば、マイナス１５ボルト）であるときに、抵抗３１と抵抗３２との中間の点Ｂの電圧がトランジスタ２５の飽和電圧（例えば、０．６ボルト）になるように調整されている。抵抗３２の定電圧回路１２への接続点Ｃは、前述の通り常時３．３ボルトである。
【００２２】
次に、スイッチング電源回路１の動作について、図１に加えて図２乃至図４（ａ）、（ｂ）を参照して説明する。液晶テレビは、差込みプラグ５がＡＣ電源（１２０ボルト）に差し込まれており、ユーザがリモコン１７を操作することによってスタンバイモードに切替えられているものとする。
【００２３】
このときスイッチングトランス２の１次側回路２ａの引出線３３には、電界効果トランジスタ６のスイッチング作用により、図２に示すような実効値が（１２０×２／√２）ボルトの波形のパルス状電圧Ｖ１が生じる。これに対して、２次側回路２ｂの引出線２７には、図３（ａ）に示すように、スイッチングトランスの巻線比に応じた振幅のパルス状電圧Ｖ２が生じ、点Ａには、図３（ｂ）に示すマイナスの直流電圧が生じる。パルス状電圧Ｖ２のピーク電圧Ｖ２ｐは、一定値（例えば５ボルト）に固定され、１次側回路２ａの電圧が減少したときには、パルス状電圧Ｖ２のマイナス側の下限値Ｖ２ｂが上昇する。
【００２４】
いま、１次側回路２ａに１２０ボルトのＡＣ電源が接続されている状態であるので、パルス状電圧Ｖ２の下限値Ｖ２ｂはマイナス側に十分大きな値になり、点Ａの直流電圧もマイナス側に大きな値（マイナス１５ボルトより低い値）になる。この点Ａのマイナス電圧は、点Ｂの電圧（ベース電圧）がトランジスタ２５の飽和電圧（０．６ボルト）未満になる値である。これによりトランジスタ２５は導通せず、パイロットランプ１３は、定電圧回路１２から供給される電圧により点灯を続ける。
【００２５】
上記の状態から、ユーザが差込みプラグ５を抜いてＡＣ電源への接続を外すと、パルス状電圧Ｖ１の振幅がコンデンサ４の蓄電機能により緩やかに減少を開始する。これにより、パルス状電圧Ｖ２の下限値Ｖ２ｂが図４（ａ）に示すようにゼロボルト方向へ徐々に上昇し（振幅が減少し）、点Ａの直流電圧が図４（ｂ）に示すようにマイナス１５ボルトよりも大きくなる。このとき、分圧抵抗３１、３２は、点Ａの電圧がマイナス１５ボルトのときに点Ｂの電圧がトランジスタ２５の飽和電圧と等しくなるように調整されているので、トランジスタ２５が導通する。これによりパイロットランプ１３へ供給される電圧がトランジスタ２５を通じてグランドへ落とされ、パイロットランプ１３が強制的に消灯される。
【００２６】
トランジスタ２５が導通するタイミングは、分圧抵抗３１、３２の値を調整することによって２次側回路２ｂ（引出線２７）の電圧が低下を開始した直後になるようにすることができる。このことから、ユーザが差込みプラグ５をＡＣ電源コンセントから抜いた後、短時間のうちにパイロットランプ１３が消灯するようにできる。また、パイロットランプ１３の強制的な消灯は、パイロットランプ１３に供給されるべき電圧をグランドへ落とすことにより行うので、パイロットランプ１３に直列にツェナーダイオードを接続する場合のような、パイロットランプ１３の消費電力の実質的な増加が生じない。
【００２７】
さらに、スタンバイモードが選択されて、コンデンサ４に蓄えられた電荷の放出が徐々にしか進まない場合であっても、分圧抵抗３１、３２の調整によりトランジスタ２５が導通するタイミングを極力早期にすることができるので、ユーザが差込みプラグ５を電源コンセントから抜いた後、短時間のうちにパイロットランプ１３が消灯するようにできる。
【００２８】
なお、スイッチング電源回路１が適用される電気機器は液晶テレビに限られず、ディスクレコーダやディスクプレーヤ等の種々の電気機器に適用することが可能である。また、電圧検出回路２６は、ダイオード２８、コンデンサ２９、及び分圧抵抗３１、３２を備えるもの以外に種々の変形が可能である。例えば、ダイオード２８とコンデンサ２９に代えて他の整流素子が用いられてもよい。
【図面の簡単な説明】
【００２９】
【図１】本発明の一実施形態に係る電気機器のスイッチング電源回路のブロック図。
【図２】同スイッチング電源回路の１次側回路におけるスイッチング電圧を示す図。
【図３】（ａ）は同スイッチング電源回路において電源が接続されているときの２次側引出線における電圧を示す図、（ｂ）は同電源が接続されているときの図１の点Ａにおける電圧を示す図。
【図４】（ａ）は同スイッチング電源回路において電源への接続が外されたときの２次側引出線における電圧の変化を示す図、（ｂ）は同電源への接続が外されたときの図１の点Ａにおける電圧の変化を示す図。
【符号の説明】
【００３０】
１  スイッチング電源回路
２  スイッチングトランス
３  整流ブリッジ回路
４  コンデンサ
５  差込みプラグ
９  負荷回路
１３  パイロットランプ
２４  消灯回路
２５  トランジスタ（スイッチ素子）
２６  電圧検出回路
【図１】
2010136482.tif 000003
【図２】
2010136482.tif 000004
【図３】
2010136482.tif 000005
【図４】
2010136482.tif 000006